(57)【要約】【課題】カバー６をケース５に固定することで回線接続部２と無線親機部３間を導通状態とすることができる自動検針用通信装置を提供する。【解決手段】無線通信によりメータから計量値を収集して検針を行う自動検針用通信装置であって、通信ネットワークを介して外部の管理装置と接続するための回線接続部２と、メータに接続された無線子機との間で無線通信を行う無線親機部３と、回線接続部２と無線親機部３との間の導通／切断を切り替えるスイッチ部４と、回線接続部２と無線親機部３とスイッチ部４とを収納するケース５と、ケース５に取り付けられるカバー６と、カバー６に形成され、カバー６をケース５に取り付けるときにスイッチ部４を導通状態に切り替えるリブ２０とを備えた。【選択図】図２
2006221574.tif 000002
【特許請求の範囲】
【請求項１】
無線通信によりメータから計量値を収集して検針を行う自動検針用通信装置であって、
通信ネットワークを介して外部の管理装置と接続するための回線接続部と、
前記メータに接続された無線子機との間で無線通信を行う無線親機部と、
前記回線接続部と前記無線親機部との間の導通／切断を切り替えるスイッチ部と、
前記回線接続部と前記無線親機部と前記スイッチ部とを収納するケースと、
前記ケースに取り付けられるカバーと、
前記カバーに形成され、前記カバーを前記ケースに取り付けるときに前記スイッチ部を導通状態に切り替えるリブと、
を備えたことを特徴とする自動検針用通信装置。
【請求項２】
前記スイッチ部は、操作部をスライドさせることにより導通／切断を切り替えるスライドスイッチであり、前記カバーは、前記ケースに被せてスライドさせることにより前記ケースに固定され、前記リブは、前記カバーを前記ケースに固定する方向にスライドさせるときに前記スライドスイッチの操作部をスライドさせて、前記スライドスイッチを導通状態に切り替えることを特徴とする請求項１記載の自動検針用通信装置。
【請求項３】
前記リブは、前記カバーを前記ケースに固定する方向にスライドさせるときに前記スライドスイッチを導通状態に切り替え、前記カバーを前記ケースから取り外す方向にスライドさせるときに前記スライドスイッチを切断状態に切り替えることを特徴とする請求項２記載の自動検針用通信装置。
【請求項４】
前記無線親機部は、
前記スイッチ部の導通／切断を監視して前記スイッチ部の切断時間を計測する時間計測部と、
前記回線接続部との間の通信を制御する制御部と、
を備え、
前記制御部は、予め設定された設定時間を記憶する切断時間記憶部を有し、前記時間計測部で計測された前記切断時間が前記切断時間記憶部に記憶された前記設定時間を超過したときに、前記スイッチ部の操作を無効にして、前記回線接続部との間を非通信状態とすることを特徴とする請求項１乃至請求項３のいずれか１項記載の自動検針用通信装置。
【請求項５】
前記制御部は、磁力を検知する磁力検知部を備え、この磁力検知部が所定以上の磁力を検知したときに前記非通信状態を解除して、前記スイッチ部の操作を有効にすることを特徴とする請求項４記載の自動検針用通信装置。
【請求項６】
前記無線親機部は、前記スイッチ部の切替回数及び切替日時を記憶する切替回数記憶部を備えたことを特徴とする請求項１乃至請求項５のいずれか１項記載の自動検針用通信装置。
【発明の詳細な説明】
【技術分野】
【０００１】
本発明は、メータの計量値を無線通信により収集して検針を行う自動検針用通信装置に関し、特に装置内部の接続切替に関する。
【背景技術】
【０００２】
従来、各家庭に設けられた電気、ガス、水道等のメータの検針は、電話回線等の通信ネットワークを利用して集中管理センタ等からメータの計量値を自動的に収集する自動検針により行われている。この自動検針では、電話回線等で構成された通信ネットワークに回線接続装置である自動検針用通信装置を接続し、この自動検針用通信装置とメータ間を有線で接続した自動検針システムが用いられている。
【０００３】
しかし、ＡＤＳＬ(Asymmetric Digital Subscriber Line)や光通信等を用いたインターネットの普及に伴ない、自動検針用通信装置が屋内に設置されるケースが増加しているため、自動検針用通信装置とメータ間の有線工事が困難であり、また、美観上の問題から需要家宅内に有線工事が行えないケースが増加している。
【０００４】
このため、自動検針用通信装置とメータ間を無線で接続した無線検針システムが導入されるようになった。図１５は従来の無線検針システムである。図１５に示すように、この無線検針システムは、通信ネットワーク１０４を介してセンタ装置１０５に接続された回線接続装置１０２に無線親機１０３を接続し、メータ１０６に無線子機１０７を接続して、メータ１０６の計量値を無線通信により収集するものである。図１６は、図１５の回線接続装置１０２と無線親機１０３とを一つの筐体１（自動検針用通信装置）の中に収めたものである。
【０００５】
図１６に示すような従来の自動検針用通信装置は、需要家に設置される場合、次のような手順で試験を実施する。まず、無線親機部３と無線子機１０７間のペアリングを行う。次に、センタ装置１０５と回線接続部２との通信確認試験を実施する。この回線接続部２の通信確認試験は、回線接続部２を通信ネットワーク１０４を介してセンタ装置１０５に接続した後、回線接続部２と無線親機部３とを接続しているリード線１０８を取り外して、回線接続部２と無線親機部３間の有線通信信号を切断し、回線接続部２の通信端子（図示しない）に設定器等の通信確認用機器（図示しない）を接続した状態で行う。次に、無線親機部３へのデータ設定及び無線親機部３と無線子機１０７間の通信確認試験を実施する。この無線親機部３へのデータ設定及び無線親機部３と無線子機１０７間の通信確認試験は、回線接続部２と無線親機部３とをリード線１０８で接続して回線接続部２と無線親機部３間を導通状態にして実施する。試験終了後、通信確認用機器を通信端子から取り外す。
【０００６】
また、同種の無線端末装置として、屋外に設置された保安器を回線制御部に接続し、屋内に設置された端末装置を信号伝送制御部に接続し、回線制御部と信号伝送制御部との間の通信は無線信号により行う回線端末装置が開示されている（特許文献１）。
【０００７】
また、メータにメータ側無線部を接続し、通報装置に通報機側無線部が内蔵され、メータ側無線部と通報機側無線部との間が無線回線で接続された自動通報装置が開示されている（特許文献２）。
【特許文献１】特許第２９９３２４２号
【特許文献２】特開平０６−２６１１３７号公報
【発明の開示】
【発明が解決しようとする課題】
【０００８】
図１６に示した従来の自動検針用通信装置は、センタ装置１０５と回線接続部２との通信確認試験を実施する場合、筐体１のカバーを開け、回線接続部２と無線親機部３とを接続しているリード線１０８を取り外すことで回線接続部２と無線親機部３間の有線通信信号を切断する。この回線接続部２の通信確認試験終了後、回線接続部２と無線親機部３とをリード線１０８で接続し、カバーを閉じて運用状態とする。
【０００９】
しかし、回線接続部２の通信確認試験終了後にリード線１０８を取り外した状態のままカバーを閉じて設置されてしまう恐れがあった。このため、設置作業のやり直しが発生したり、再度、設定作業を行なわなければならないという問題があった。
【００１０】
本発明は、上述した問題を解消するためになされたものであり、その課題は、設置工事時に、回線接続部と無線親機部間の接続を忘れてしまった場合でも、カバーを取り付けることで回線接続部と無線親機部間を導通状態とすることで、回線接続部と無線親機部間が切断状態で設置されてしまう作業ミスを防ぎ、設置工事を効率化する自動検針用通信装置を提供することにある。
【課題を解決するための手段】
【００１１】
本発明は、前記課題を解決するために以下の手段を採用した。請求項１の発明は、無線通信によりメータから計量値を収集して検針を行う自動検針用通信装置であって、通信ネットワークを介して外部の管理装置と接続するための回線接続部と、前記メータに接続された無線子機との間で無線通信を行う無線親機部と、前記回線接続部と前記無線親機部との間の導通／切断を切り替えるスイッチ部と、前記回線接続部と前記無線親機部と前記スイッチ部とを収納するケースと、前記ケースに取り付けられるカバーと、前記カバーに形成され、前記カバーを前記ケースに取り付けるときに前記スイッチ部を導通状態に切り替えるリブとを備えたことを特徴とする。
【００１２】
請求項２の発明は、請求項１記載の自動検針用通信装置において、前記スイッチ部は、操作部をスライドさせることにより導通／切断を切り替えるスライドスイッチであり、前記カバーは、前記ケースに被せてスライドさせることにより前記ケースに固定され、前記リブは、前記カバーを前記ケースに固定する方向にスライドさせるときに前記スライドスイッチの操作部をスライドさせて、前記スライドスイッチを導通状態に切り替えることを特徴とする。
【００１３】
請求項３の発明は、請求項２記載の自動検針用通信装置において、前記リブは、前記カバーを前記ケースに固定する方向にスライドさせるときに前記スライドスイッチを導通状態に切り替え、前記カバーを前記ケースから取り外す方向にスライドさせるときに前記スライドスイッチを切断状態に切り替えることを特徴とする。
【００１４】
請求項４の発明は、請求項１乃至請求項３のいずれか１項記載の自動検針用通信装置において、前記無線親機部は、前記スイッチ部の導通／切断を監視して前記スイッチ部の切断時間を計測する時間計測部と、前記回線接続部との間の通信を制御する制御部とを備え、前記制御部は、予め設定された設定時間を記憶する切断時間記憶部を有し、前記時間計測部で計測された前記切断時間が前記切断時間記憶部に記憶された前記設定時間を超過したときに、前記スイッチ部の操作を無効にして、前記回線接続部との間を非通信状態とすることを特徴とする。
【００１５】
請求項５の発明は、請求項４記載の自動検針用通信装置において、前記制御部は、磁力を検知する磁力検知部を備え、この磁力検知部が所定以上の磁力を検知したときに前記非通信状態を解除して、前記スイッチ部の操作を有効にすることを特徴とする。
【００１６】
請求項６の発明は、請求項１乃至請求項５のいずれか１項記載の自動検針用通信装置において、前記無線親機部は、前記スイッチ部の切替回数及び切替日時を記憶する切替回数記憶部を備えたことを特徴とする。
【発明の効果】
【００１７】
請求項１の発明によれば、カバーに形成されたリブが、カバーをケースに取り付けるときにスイッチ部を切り替えて、回線接続部と無線親機部間を導通状態にするので、回線接続部と無線親機部との間が切断状態で設置されてしまう作業ミスを防ぎ、設置工事を効率化することができる。
【００１８】
請求項３の発明によれば、リブは、カバーをケースに固定する方向にスライドさせるときにスライドスイッチを導通状態に切り替え、カバーをケースから取り外す方向にスライドさせるときにスライドスイッチを切断状態に切り替えるので、回線接続部と無線親機部との間が切断状態で設置されてしまう作業ミスを防ぎ、設置工事を効率化することができ、また、スライドスイッチを切断状態に切り替える手動操作も不要になるので、設置工事をさらに効率化することができる。
【００１９】
請求項４の発明によれば、時間計測部がスイッチ部の導通／切断を監視してスイッチ部の切断時間を計測し、切断時間記憶部は設定時間を記憶し、制御部は、時間計測部で計測された切断時間が切断時間記憶部に記憶された設定時間を超過したときに、スイッチ部の操作を無効にして、回線接続部と無線親機部との間を非通信状態とするので、スイッチのいたずら操作による無線親機部と回線接続部間の通信異常や故障等を回避することができる。また、回線接続部よりこの異常を外部の集中管理センタ等に知らせることができる。
【００２０】
請求項５の発明によれば、磁力検知部が所定以上の磁力を検知したときに、制御部が回線接続部と無線親機部間の非通信状態を解除して、スイッチ部の操作を有効にするので、回線接続部と無線親機部間が非通信状態になった場合に、磁力検知部に所定以上の磁力を検知させることにより、無線親機部と回線接続部間の通信を復旧させて、メータと外部の集中管理センタとの間の通信を復旧させることができる。
【００２１】
請求項６の発明によれば、切替回数記憶部がスイッチ部の切替回数及び切替日時を記憶するので、設置工事後のスイッチ操作を監視して、いたずらの回数と日時を特定でき、通信異常、故障等の原因を追求することができる。
【発明を実施するための最良の形態】
【００２２】
以下、本発明の実施例に係る自動検針用通信装置を図面を参照しながら詳細に説明する。なお、以下では、背景技術の欄で説明した自動検針用通信装置の構成部分と同一又は相当部分には、背景技術の欄で使用した符号と同一の符号を用いて説明する。
【実施例１】
【００２３】
図１は本発明の実施例１に係る自動検針用通信装置の構成を示すブロック図である。図１に示すように、実施例１に係る自動検針用通信装置は、筐体１内に、電話回線等の通信ネットワークを介してセンタ装置に接続するための回線接続部２、メータに接続された無線子機と無線通信を行う無線親機部３及び回線接続部２と無線親機部３との間の導通／切断を切り替えるスイッチ部（スライドスイッチ）４が設けられている。
【００２４】
図２及び図３は本発明の実施例１に係る自動検針用通信装置を示す外観斜視図であり、図４は図２のＡ−Ａ間、図５は図３のＢ−Ｂ間の断面図である。なお、図２及び図４は、スライドスイッチ４の接点が開いている切断状態を示し、図３及び図５はスライドスイッチ４の接点が閉じている導通状態を示している。
【００２５】
筐体１は、図２または図３に示すように、嵌合部１１を有するケース５及びこの嵌合部１１を嵌合させるための嵌合孔１６を有するカバー６からなり、カバー６をケース５に被せて、ケース５に被せられたカバー６は、嵌合部１１が嵌合孔１６に嵌合する方向（図２の矢印方向）にスライドすることにより、ケース５に固定される（図３）。
【００２６】
ケース５には、電話回線側のモジュラージャック７ａ、電話機側のモジュラージャック７ｂが設けられ、ケース５の内部に基板１２（図４または図５参照）が嵌め込まれている。
【００２７】
基板１２には、回線接続部２、無線親機部３、回線接続部２と無線親機部３間の導通／切断を切り替えるためのスライドスイッチ４、設置工事時に実施する回線接続部２の通信確認試験の際に使用される通信確認用機器を接続するための通信端子９及びその他実装部品が搭載されている。この基板１２の上から内ケース１０が嵌め込まれている（図４または図５参照）。
【００２８】
内ケース１０には、基板１２上のスライドスイッチ４と対向する位置と、通信端子９と対向する位置とにそれぞれ穴１３、１４が設けられており、スライドスイッチ４、通信端子９が内ケース１０の穴１３、１４を貫通している。また、内ケース１０上には、基板回路動作用の電池１５が取り付けられている。
【００２９】
カバー６は、図４に示すように、内面に略三角形状のリブ２０が一体成形されている。このリブ２０は、カバー６をケース５に被せたときに内ケース１０上に貫通しているスライドスイッチ４の操作部４ａと対向した位置に形成されている（図４のＤ部）。このカバー６をケース５に固定するために、カバー６を嵌合部１１が嵌合孔１６に嵌合する方向（図４の矢印方向）にスライドすると、カバー６と一体成形されたリブ２０がスライドスイッチ４の操作部４ａを押圧する。即ち、カバー６がスライドされると、これに伴ってスライドスイッチ４の操作部４ａが直線的にスライドされて、カバー６がケース５に固定されたときに、スライドスイッチ４の接点が閉じられて回線接続部２と無線親機部３との間が導通状態になる（図５）。
【００３０】
以上説明したように、本発明の実施例１に係る自動検針用通信装置よれば、カバー６をスライドさせてケース５に固定すると、これに伴ってスライドスイッチ４が導通状態になる。このため、設置工事時の通信試験を実施するために、スライドスイッチ４により回線接続部２と無線親機部３との間を切断状態にして、通信試験終了後にスライドスイッチ４を導通状態にすることを忘れてしまった場合にも、カバー６を閉じてケース５に固定することで、スライドスイッチ４が強制的に切り替えられて回線接続部２と無線親機部３との間を導通状態（運用状態）にすることができる。これによって、自動検針用通信装置の回線接続部２と無線親機部３間が切断状態で設置されてしまう作業ミスを防ぎ、設置工事を効率化することができる。
【００３１】
なお、本実施例ではカバー６に形成されたリブ２０を略三角形状としたが、リブ２０の形状はこれに限定されることはなく、カバー６をケース５に固定することで、スライドスイッチ４の接点が閉じられる他の形状としても良い。
【００３２】
また、本実施例ではケース５に嵌合部１１を設け、カバー６に嵌合孔１６を設けたが、本発明はこれに限定されることなく、カバー６をスライドすることによりケース５に固定されればよい。
【実施例２】
【００３３】
図６及び図７は本発明の実施例２に係る自動検針用通信装置を示す外観斜視図である。図６または図７に示すように、実施例２に係る自動検針用通信装置のカバー６ａは、スライドスイッチ４を挟み込むようにリブ２０ａが形成されており、例えば実施例１のカバー６のリブ２０と同様な形状のリブ２つでスライドスイッチ４を挟み込むように構成されている。その他の構成は、図１から図５に示す実施例１の構成と同一構成であり、同一部分には同一符号を付し、その詳細は省略する。
【００３４】
実施例２の自動検針用通信装置は、実施例１と同様にカバー６ａを、嵌合部１１が嵌合孔１６に嵌合する方向にスライドしてカバー６ａがケース５に固定されたときに、スライドスイッチ４の接点が閉じられて回線接続部２と無線親機部３との間が導通状態になる。さらに、ケース５に固定されているカバー６ａを固定するのと逆の方向（カバー６ａをケース５から取り外す方向）にスライドさせると、スライドスイッチ４の接点が開かれて回線接続部２と無線親機部３との間が切断状態になる。即ち、実施例２の自動検針用通信装置のカバー６ａには、カバー６ａをケース５に固定する方向にスライドさせることでスライドスイッチ４を導通状態にして、カバー６ａをケース５から取り外す方向にスライドさせることでスライドスイッチ４を切断状態にする双方向切換用のリブ２０ａが設けられている。
【００３５】
以上説明したように、実施例２に係る自動検針用通信装置によれば、実施例１の効果と同様の効果が得られ、さらにカバー６ａをケース５から取り外す方向にスライドさせることで回線接続部２と無線親機部３との間を切断状態とすることができるので、スライドスイッチ４を手動操作により切り替える必要がない。このため、回線接続部２と無線親機部３間が切断状態で設置されてしまう作業ミスを防ぎ、設置工事をさらに効率化することができる。
【実施例３】
【００３６】
図８は本発明の実施例３に係る自動検針用通信装置の構成を示すブロック図である。図８に示すように、実施例３に係る自動検針用通信装置の無線親機部３ａは、無線子機と無線通信を行う無線部３１、回線接続部２と無線部３１間の通信を制御する制御部３２、スライドスイッチ４を切断状態にしてからの時間（切断時間）を計測する時間計測部３３を備えている。また、制御部３２は、予め設定された設定時間を記憶した切断時間記憶部３４を有している。その他の構成は、実施例１または実施例２の構成と同一構成であり、同一部分には同一符号を付し、その詳細は省略する。
【００３７】
次に、このように構成された実施例３に係る自動検針用通信装置の動作を、図９に示すフローチャートを参照しながら詳細に説明する。図９に示すように、実施例３の自動検針用通信装置において、スライドスイッチ４が切断されると（ステップＳ１）、時間計測部３３が切断時間の計測を開始する（ステップＳ２）。制御部３２は、計測された計測時間（切断時間）と切断時間記憶部３４に記憶された設定時間とを比較する（ステップＳ３）。比較の結果、計測時間が設定時間よりも大きいときは、制御部３２がスライドスイッチ４を導通状態にしても回線接続部２と無線親機部３との間を非通信状態にする（スライドスイッチ４の操作を無効にする）制御を行う（ステップＳ４）。計測時間が設定時間よりも小さいときは、再度スライドスイッチ４の状態を確認する（ステップＳ５）。このとき、スライドスイッチ４が導通状態のときは、通常の動作状態に戻る（ステップＳ６）。ステップＳ５で、スライドスイッチ４が切断状態のときは、ステップＳ３から繰り返す。
【００３８】
以上説明したように、実施例３に係る自動検針用通信装置によれば、実施例１または実施例２の効果と同様の効果が得られ、さらにスライドスイッチ４の切断時間が予め設定された設定時間を超過後は、スライドスイッチ４の操作を無効にして、回線接続部２と無線親機部３との間を非通信状態にすることができ、スライドスイッチ４のいたずら操作による回線接続部２と無線親機部３との間の通信異常や故障等を回避することができる。また、回線接続部２によりこの異常を外部の集中管理センタ等に知らせることができる。
【実施例４】
【００３９】
図１０は本発明の実施例４に係る自動検針用通信装置の構成を示すブロック図である。図１０に示すように、実施例４に係る自動検針用通信装置は、図８に示す実施例３の制御部３２に、磁力検知部３５を設けたものである。その他の構成は、実施例３の構成と同一構成であり、同一部分には同一符号を付し、その詳細は省略する。
【００４０】
磁力検知部３５は、スライドスイッチ４の切断時間が設定時間を超過して回線接続部２と無線親機部３との間が非通信状態になった場合に用いられるものであり、磁力検知部３５に所定以上の磁力の磁石を近づけることにより磁力を検知して、リードスイッチ（図示しない）をＯＮにする。このリードスイッチがＯＮになることで、回線接続部２と無線親機部３との間の非通信状態が解除されて、スライドスイッチ４の操作が有効になる。
【００４１】
次に、このように構成された実施例４に係る自動検針用通信装置の動作を、図１１に示すフローチャートを参照しながら詳細に説明する。図１１に示すように、実施例４の自動検針用通信装置は、ステップＳ１１からステップＳ１４、ステップＳ１７の動作は実施例３の動作と同様である。実施例４では、ステップＳ１４で回線接続部２と無線親機部３との間が非通信状態となった後、リードスイッチがＯＮになったかどうか（磁石が近づけられたかどうか）を判定する（ステップＳ１５）。リードスイッチがＯＦＦの場合は、ステップＳ１４に戻り、リードスイッチがＯＮになった場合は、再度スライドスイッチ４の状態を確認する（ステップＳ１６）。スライドスイッチ４が導通状態のときは、通常の動作状態になる（ステップＳ１８）。スライドスイッチ４が切断状態のときは、ステップＳ１６から繰り返す。
【００４２】
以上説明したように、実施例４に係る自動検針用通信装置によれば、実施例３の効果と同様の効果が得られ、さらに磁力検知部３５に所定以上の磁力を持つ磁石を近づけることで、回線接続部２と無線親機部３との間の非通信状態を解除して、スライドスイッチ４の操作を有効にすることができる。このときに、スライドスイッチ４を導通状態にすることにより回線接続部２と無線親機部３との間の通信を復旧させ、メータと集中管理センタ間の通信を復旧させることができる。
【実施例５】
【００４３】
図１２及び図１３は本発明の実施例５に係る自動検針用通信装置の構成を示すブロック図である。図１２は図８に示した実施例３の制御部３２に切断時間記憶部のかわりに、スライドスイッチ４の切替回数及び切替日時を記憶する切替回数記憶部３６を設けたものであり、図１３は図１０に示した実施例４の制御部３２に切替回数記憶部３６を設けたものである。このように、実施例５に係る自動検針用通信装置は、実施例１または実施例２においては無線親機部３に、実施例３または実施例４においては、無線親機部３ａの制御部３２に切替回数記憶部３６を備えたものである。
【００４４】
次に、このように構成された実施例５に係る自動検針用通信装置の動作を、図１４に示すフローチャートを参照しながら詳細に説明する。図１４に示すように、実施例５の自動検針用通信装置は、本発明の実施例１から実施例４の内のいずれかの自動検針用通信装置において、スライドスイッチ４が切り替えられたかどうかを監視して（ステップＳ２１）、スライドスイッチ４が切り替えられたときは、切替回数記憶部３６がスライドスイッチ切替回数Ｎに１を加えて（ステップＳ２２）、ステップＳ２１から繰り返す。また、切替回数記憶部３６は切替回数Ｎとともに切替日時も記憶している。
【００４５】
以上説明したように、実施例５に係る自動検針用通信装置によれば、実施例１から実施例４のいずれかの効果と同様の効果が得られ、さらにスライドスイッチ切替回数と切替日時を記憶することにより、設置工事後のスイッチ操作を監視して、いたずらの回数と日時とを特定でき、通信異常、故障等の原因を追求できる。
【産業上の利用可能性】
【００４６】
本発明は、メータの計量値を無線通信で自動検針する自動検針用通信装置に適用可能である。
【図面の簡単な説明】
【００４７】
【図１】本発明の実施例１に係る自動検針用通信装置の構成を示すブロック図である。
【図２】本発明の実施例１に係る自動検針用通信装置のケースにカバーを取り付ける状態示す外観斜視図である。
【図３】本発明の実施例１に係る自動検針用通信装置のケースにカバーが取り付けられた状態を示す外観斜視図である。
【図４】図２のＡ−Ａ間の断面図である。
【図５】図３のＢ−Ｂ間の断面図である。
【図６】本発明の実施例２に係る自動検針用通信装置のケースにカバーを取り付ける状態示す外観斜視図である。
【図７】本発明の実施例２に係る自動検針用通信装置のケースにカバーが取り付けられた状態を示す外観斜視図である。
【図８】本発明の実施例３に係る自動検針用通信装置の構成を示すブロック図である。
【図９】本発明の実施例３に係る自動検針用通信装置の動作を示すフローチャートである。
【図１０】本発明の実施例４に係る自動検針用通信装置の構成を示すブロック図である。
【図１１】本発明の実施例４に係る自動検針用通信装置の動作を示すフローチャートである。
【図１２】本発明の実施例５に係る自動検針用通信装置の構成を示すブロック図である。
【図１３】本発明の実施例５に係る自動検針用通信装置の構成を示すブロック図である。
【図１４】本発明の実施例５に係る自動検針用通信装置の動作を示すフローチャートである。
【図１５】従来の自動検針用通信システムの構成を示すブロック図である。
【図１６】従来の他の自動検針用通信システムの構成を示すブロック図である。
【符号の説明】
【００４８】
１  筐体
２  回線接続部
３、３ａ  無線親機部
４  スライドスイッチ
４ａ  操作部
５  ケース
６、６ａ  カバー
７ａ、７ｂ  モジュラージャック
９    通信端子
１０  内ケース
１２  基板
１３、１４  穴
１５  電池
１６  嵌合孔
２０、２０ａ  リブ
３１  無線部
３２  制御部
３３  時間計測部
３４  切断時間記憶部
３５  磁力検知部
３６  切替回数記憶部
１０２  回線接続装置
１０３  無線親機
１０４  通信ネットワーク
１０５  センタ装置
１０６  メータ
１０７  無線子機
１０８  リード線
【図１】
2006221574.tif 000003
【図２】
2006221574.tif 000004
【図３】
2006221574.tif 000005
【図４】
2006221574.tif 000006
【図５】
2006221574.tif 000007
【図６】
2006221574.tif 000008
【図７】
2006221574.tif 000009
【図８】
2006221574.tif 000010
【図９】
2006221574.tif 000011
【図１０】
2006221574.tif 000012
【図１１】
2006221574.tif 000013
【図１２】
2006221574.tif 000014
【図１３】
2006221574.tif 000015
【図１４】
2006221574.tif 000016
【図１５】
2006221574.tif 000017
【図１６】
2006221574.tif 000018